(57)【要約】【課題】温度差によって部材が伸縮しても、シャッター装置に変形や損傷などが起きにくいシャッター装置の構造及び巻取シャフトの製造方法を提供する。【解決手段】シャッター装置の構造において、巻取シャフト２３と、シャッターカーテンを外周に巻装する巻取シャフト２３の筒状の巻胴２５と、巻胴２５の軸線５１に沿う方向の両端に軸線５１を中心に取り付けられ少なくとも一方が巻胴２５に対して軸線５１に沿う方向に移動自在となる一対の軸首２７と、軸首２７の外周に軸線５１に沿う方向で凹設された軸首側キー溝５３と、軸首側キー溝５３より短く形成されて軸首側キー溝５３に沿う方向に移動自在となって軸首側キー溝５３に挿入され軸首２７の外周から突出するキー５５と、巻胴２５に形成され軸首２７を支持する軸穴４９の内周が半径方向外側に切り欠かれてキー５５が係合することで軸首２７と巻胴２５との相対回転を規制する本体側キー溝５９と、を設けた。【選択図】  図５
2015074943.tif 000002
【特許請求の範囲】
【請求項１】
建物開口の一側に設けられ、シャッターカーテンを外周に巻装する巻取シャフトを備えるシャッター装置の構造であって、
前記巻取シャフトを構成し、前記シャッターカーテンの一側縁が固定され該シャッターカーテンが巻回される筒状の本体部と、
前記本体部の軸線に沿う方向の両端に前記軸線を中心に取り付けられ少なくとも一方が前記本体部に対して前記軸線に沿う方向に移動自在となる一対の軸首と、
前記軸首の外周から突出するキーと、
前記本体部に形成され前記軸首を支持する軸穴の内周が半径方向外側に切り欠かれて前記キーが係合することで前記軸首と前記本体部との相対回転を規制する本体側キー溝と、
を具備することを特徴とするシャッター装置の構造。
【請求項２】
請求項１記載のシャッターの構造であって、
前記軸首の外周に前記軸線に沿う方向で軸首側キー溝が凹設され、
前記キーが、前記軸首側キー溝より短く形成され、前記軸首側キー溝に沿う方向に移動自在となって前記軸首側キー溝に挿入され、前記軸首の外周から突出することを特徴とするシャッター装置の構造。
【請求項３】
請求項１または２記載のシャッター装置の構造であって、
前記本体部が開口部を有する筒状に形成され、
前記開口部に前記軸穴を有した中子が固定され、
前記中子の前記本体側キー溝に前記キーが固定されることを特徴とするシャッター装置の構造。
【請求項４】
請求項１または２または３記載のシャッター装置の構造であって、
それぞれの前記軸首を前記軸線方向に移動規制して回転自在に支持し建物躯体に固定される一対のブラケットと、
一対の前記ブラケットに長手方向両端が支持されて架設され少なくとも長手方向の一端側が長手方向に沿って長い長穴を介して前記ブラケットに締結固定される補強部材と、
を具備することを特徴とするシャッター装置の構造。
【請求項５】
請求項１または２または３記載のシャッター装置の構造であって、
それぞれの前記軸首を前記軸線方向に移動規制して回転自在に支持し建物躯体に固定される一対のブラケットと、
一対の前記ブラケットに長手方向両端が締結固定される補強部材と、
一対の前記ブラケットの少なくとも一方に形成され前記建物躯体に締結固定される前記軸線に沿う方向に長い躯体固定用長穴と、
を具備することを特徴とするシャッター装置の構造。
【請求項６】
請求項１または２または３記載のシャッター装置の構造であって、
それぞれの前記軸首を前記軸線方向に移動規制して回転自在に支持し建物躯体に固定される一対のブラケットと、
一対の前記ブラケットに長手方向両端が支持されて架設され少なくとも長手方向の一端側が長手方向に沿って長い長穴を介して前記ブラケットに締結固定される補強部材と、
一対の前記ブラケットの少なくとも一方に形成され前記建物躯体に締結固定される前記軸線に沿う方向に長い躯体固定用長穴と、
を具備することを特徴とするシャッター装置の構造。
【請求項７】
軸首の外周に軸線に沿う方向で凹設された軸首側キー溝に、前記軸首側キー溝より短く形成されて前記軸首側キー溝に沿う方向に移動自在となって前記軸首の外周から突出するキーを挿入する工程と、
前記軸首を支持する軸穴の内周に半径方向外側に切り欠かれて前記キーが係合する本体側キー溝を有する中子を、前記キーに前記本体側キー溝を係合させて前記軸首の外周に外挿する工程と、
前記キーに前記中子を固定する工程と、
前記軸首とともに前記中子を巻取シャフトの筒状の本体部の開口部に挿入して前記中子と前記本体部を固定する工程と、
を含むことを特徴とする巻取シャフトの製造方法。
【発明の詳細な説明】
【技術分野】
【０００１】
本発明は、シャッター装置の構造に関する。
【背景技術】
【０００２】
一般にシャッター装置は、建物躯体に形成された開口の上部に、巻取シャフトを回転自在に支持し、この巻取シャフトの外周に、開閉体であるシャッターカーテンを巻き取りまたは巻き戻すことにより、シャッターカーテンを昇降させて建物開口を開閉可能としている（特許文献１，２，３等参照）。巻取シャフトは、シャッターカーテンを外周に巻きつけるための比較的大径の円筒体を有している。円筒体は、軸線方向の両端に支持板が固定され、この支持板には円筒体の軸線方向に貫通する軸首が固着されている。巻取シャフトは、この両端の軸首が軸受によって回転自在に支持されることになる。巻取シャフトは、軸首の一端部に固定されたスプロケットにチェーンが掛け渡されて回転駆動される。
【先行技術文献】
【特許文献】
【０００３】
【特許文献１】特開２００６−２００１４４号公報
【特許文献２】特開２００７−４６３４１号公報
【特許文献３】特開２００８−２６７０４２号公報
【発明の概要】
【発明が解決しようとする課題】
【０００４】
しかしながら、シャッター装置が夏期に製造されると４０℃になる部材、特に金属部材があり、そのような場所で組み立てたものを例えば庫内温度が−３０℃程度となる冷凍庫に設置したとき、製造時と設置時の温度差が７０℃となり部材が収縮する。例えば材質がＳＵＳ３０４のステンレスよりなる巻取シャフトの場合、建物開口の間口幅が３０００ｍｍ、巻取シャフトの長さが２８７０ｍｍであると、温度差７０℃で３．５ｍｍ程度縮む計算となる。一般的な素材であるＳＳ４００のスチールの場合、上記同様の条件では２．３５ｍｍ程度縮む計算となる。ステンレスはスチールより線膨張係数が大きく、伸縮量が大きくなるが、防錆対策等から巻取シャフトをステンレス製としたい要請がある。
【０００５】
巻取シャフトの両端の軸首は、建物躯体に固定される左右のブラケットに回転自在に支持されるとともに、ブラケットに対して軸線に沿う方向に移動しないように軸受にしっかり固定される。また、巻取シャフトは、軸首の一端部に固定されたスプロケットにチェーンが掛け渡されて回転駆動される。このため、巻取シャフトが収縮すると、どこかに内部応力が発生してしまう。その結果、例えば、ブラケットが変形や破損したり、スプロケットが変位してチェーンの山とびが発生し、最悪の事態にはチェーンがスプロケットから外れたりする虞がある。
【０００６】
本発明は上記状況に鑑みてなされたもので、その目的は、製造工場内と設置場所との温度差や気候の変化による温度差などによって部材が伸縮することがあっても、シャッター装置に変形や損傷などが起きにくいシャッター装置の構造及び巻取シャフトの製造方法を提供することにある。
【課題を解決するための手段】
【０００７】
次に、上記の課題を解決するための手段を、実施の形態に対応する図面を参照して説明する。
本発明の請求項１記載のシャッター装置１１の構造は、建物開口の一側に設けられ、シャッターカーテン１９を外周に巻装する巻取シャフト２３を備えるシャッター装置１１の構造であって、
前記巻取シャフト２３を構成し、前記シャッターカーテン１９の一側縁が固定され該シャッターカーテン１９が巻回される筒状の本体部２５と、
前記本体部２５の軸線５１に沿う方向の両端に前記軸線５１を中心に取り付けられ少なくとも一方が前記本体部２５に対して前記軸線５１に沿う方向に移動自在となる一対の軸首２７と、
前記軸首２７の外周から突出するキー５５と、
前記本体部２５に形成され前記軸首２７を支持する軸穴４９の内周が半径方向外側に切り欠かれて前記キー５５が係合することで前記軸首２７と前記本体部２５との相対回転を規制する本体側キー溝５９と、
を具備することを特徴とする。
【０００８】
このシャッター装置１１の構造では、軸首２７が本体部２５の軸穴４９に挿入されて、軸首２７と本体部２５の本体側キー溝５９に挿入されるキー５５が介設状態となる。軸首２７が回転駆動されれば、キー５５を介して巻取シャフト２３の本体部２５が回転される。軸首２７が回転規制されれば、本体部２５にモーメントが作用しても、巻取シャフト２３は回転が規制される。
温度差により、長尺の巻取シャフト２３が伸縮すると、軸首２７と本体部２５とが軸線５１に沿う方向で固定されておらず、移動自在とされており、巻取シャフト２３の伸縮による変位が、キー５５を介した本体側キー溝５９の移動によって吸収され、一対の軸首間の距離が変動しにくくなる。
【０００９】
本発明の請求項２記載のシャッター装置１１の構造は、請求項１記載のシャッターの構造であって、
前記軸首２７の外周に前記軸線５１に沿う方向で軸首側キー溝５３が凹設され、
前記キー５５が、前記軸首側キー溝５３より短く形成され、前記軸首側キー溝５３に沿う方向に移動自在となって前記軸首側キー溝５３に挿入され、前記軸首２７の外周から突出することを特徴とする。
【００１０】
このシャッター装置１１の構造では、軸首２７の軸首側キー溝５３にキー５５が挿入され、キー５５は、軸首側キー溝５３内で軸線５１に沿って移動可能となる。軸首２７は、キー５５を本体側キー溝５９に係合し、本体部２５の軸穴４９に挿入される。軸首２７が回転駆動されれば、キー５５を介して巻取シャフト２３の本体部２５が回転される。
温度差により、長尺の巻取シャフト２３が伸縮すると、本体部２５とともにキー５５が軸線５１に沿う方向に移動（変位）する。キー５５が軸首側キー溝５３内で移動することで、軸首２７は、キー５５によって移動されない。これにより、巻取シャフト２３の伸縮による変位が、軸首側キー溝５３内でのキー５５の移動によって吸収され、一対の軸首間の距離が変動しにくくなる。
【００１１】
本発明の請求項３記載のシャッター装置１１の構造は、請求項１または２記載のシャッター装置１１の構造であって、
前記本体部２５が開口部５７を有する筒状に形成され、
前記開口部５７に前記軸穴４９を有した中子２９が固定され、
前記中子２９の前記本体側キー溝５９に前記キー５５が固定されることを特徴とする。
【００１２】
このシャッター装置１１の構造では、軸首２７の軸首側キー溝５３にキー５５が挿入され、軸首２７がキー５５ごと中子２９の軸穴４９に挿入される。キー５５が中子２９の軸穴４９に溶接等によって固定され、中子２９が軸首２７から脱落規制される。この状態で、中子２９が本体部２５の開口部５７に固定される。これにより、本体部２５に対して軸線５１に沿う方向で、軸首２７が移動自在に取り付けられる。
【００１３】
本発明の請求項４記載のシャッター装置１１の構造は、請求項１または２または３記載のシャッター装置１１の構造であって、
それぞれの前記軸首２７を前記軸線方向に移動規制して回転自在に支持し建物躯体１３に固定される一対のブラケット３１と、
一対の前記ブラケット３１に長手方向両端が支持されて架設され少なくとも長手方向の一端側が長手方向に沿って長い長穴６３を介して前記ブラケット３１に締結固定される補強部材４５と、
を具備することを特徴とする。
【００１４】
このシャッター装置１１の構造では、一対のブラケット３１に両端が固定される長尺の補強部材４５が伸縮すると、一対のブラケット間の距離と、補強部材４５の長さとに差異が生じる。一対のブラケット３１は、建物躯体１３に固定されるので、ブラケット間の距離の変位は極めて小さい。このため、ブラケット３１は、本来、補強部材４５からの応力を受け、変形しようとする。この際、本構成では、ブラケット３１に対し、補強部材４５の固定部が長穴６３を移動する。これにより、変位が吸収され、応力が発生せず、ブラケット３１が変形しにくい。
【００１５】
本発明の請求項５記載のシャッター装置１１の構造は、請求項１または２または３記載のシャッター装置１１の構造であって、
それぞれの前記軸首２７を前記軸線方向に移動規制して回転自在に支持し建物躯体１３に固定される一対のブラケット３１と、
一対の前記ブラケット３１に長手方向両端が締結固定される補強部材４５と、
一対の前記ブラケット３１の少なくとも一方に形成され前記建物躯体１３に締結固定される前記軸線５１に沿う方向に長い躯体固定用長穴６１と、
を具備することを特徴とする。
【００１６】
このシャッター装置１１の構造では、一対のブラケット３１に、両端が固定される長尺の補強部材４５が伸縮すると、一対のブラケット間の距離と、補強部材４５の長さとに差異が生じる。一対のブラケット３１は、建物躯体１３に固定されるので、ブラケット間の距離の変位は極めて小さい。このため、ブラケット３１は、本来、補強部材４５からの応力を受け、変形しようとする。この際、本構成では、建物躯体１３に対しブラケット３１が躯体固定用長穴６１を介して移動する。これにより、変位が吸収され、応力が発生せず、ブラケット３１が変形しにくい。
【００１７】
本発明の請求項６記載のシャッター装置１１の構造は、請求項１または２または３記載のシャッター装置１１の構造であって、
それぞれの前記軸首２７を前記軸線方向に移動規制して回転自在に支持し建物躯体１３に固定される一対のブラケット３１と、
一対の前記ブラケット３１に長手方向両端が支持されて架設され少なくとも長手方向の一端側が長手方向に沿って長い長穴６３を介して前記ブラケット３１に締結固定される補強部材４５と、
一対の前記ブラケット３１の少なくとも一方に形成され前記建物躯体１３に締結固定される前記軸線５１に沿う方向に長い躯体固定用長穴６１と、
を具備することを特徴とする。
【００１８】
このシャッター装置１１の構造では、ブラケット３１に対し、補強部材４５の固定部が長穴６３を移動する。これとともに、建物躯体１３に対してもブラケット３１が躯体固定用長穴６１を介して移動する。これにより、変位が確実に吸収され、応力が発生せず、ブラケット３１が変形しにくい。
【００１９】
本発明の請求項７記載の巻取シャフト２３の製造方法は、軸首２７の外周に軸線５１に沿う方向で凹設された軸首側キー溝５３に、前記軸首側キー溝５３より短く形成されて前記軸首側キー溝５３に沿う方向に移動自在となって前記軸首２７の外周から突出するキー５５を挿入する工程と、
前記軸首２７を支持する軸穴４９の内周に半径方向外側に切り欠かれて前記キー５５が係合する本体側キー溝５９を有する中子２９を、前記キー５５に前記本体側キー溝５９を係合させて前記軸首２７の外周に外挿する工程と、
前記キー５５に前記中子２９を固定する工程と、
前記軸首２７とともに前記中子２９を巻取シャフト２３の筒状の本体部２５の開口部５７に挿入して前記中子２９と前記本体部２５を固定する工程と、
を含むことを特徴とする。
【００２０】
この巻取シャフト２３の製造方法では、軸首２７の軸首側キー溝５３にキー５５が挿入される。軸首２７は、キー５５ごと中子２９の軸穴４９に挿入される。軸首２７のキー５５は、中子２９の本体側キー溝５９に係合される。軸首２７と中子２９とは、相対回転が規制される。この状態でキー５５を中子２９の軸穴４９に溶接等によって固定する。中子２９に固定されたキー５５は、軸首側キー溝５３内で軸線５１に沿う方向には所定距離で移動可能となるが、軸首側キー溝５３からは離脱しない。これにより、中子２９は、軸首２７に対し軸線５１に沿う方向に移動自在となりながら、相対回転が阻止されて、軸首２７から脱落が規制される。
【発明の効果】
【００２１】
本発明に係る請求項１記載のシャッター装置の構造によれば、軸首と本体部とに介設されるキーにより、相対回転が規制され回転駆動が伝達されるとともに、軸線の方向には移動可能となり、工場内と設置場所との温度差等によって部材が伸縮することがあっても、シャッター装置の変形や損傷などを防止できる。
【００２２】
本発明に係る請求項２記載のシャッター装置の構造によれば、軸首側キー溝内でキーが移動可能となり、相対回転は規制されて軸首の回転は本体部に伝わり、且つ本体部とともにキーが軸線に沿う方向に移動するので、工場内と設置場所との温度差によって部材が伸縮しても、シャッター装置の変形や損傷などを防止できる。
【００２３】
本発明に係る請求項３記載のシャッター装置の構造によれば、円筒状の本体部の開口部に、軸線方向に移動自在な軸首を容易に取り付けることができる。
【００２４】
本発明に係る請求項４記載のシャッター装置の構造によれば、一対のブラケットに架設した長尺の補強部材が伸縮しても、ブラケットと補強部材が変位可能となって、ブラケットの変形や破損を防止できる。
【００２５】
本発明に係る請求項５記載のシャッター装置の構造によれば、一対のブラケットに架設した長尺の補強部材が伸縮しても、ブラケットが建物躯体に対し変位し、ブラケットの変形や破損を防止できる。
【００２６】
本発明に係る請求項６記載のシャッター装置の構造によれば、一対のブラケットに架設した長尺の補強部材が伸縮しても、ブラケットと補強部材が変位可能となるとともに、ブラケットも建物躯体に対し変位可能となり、ブラケットの変形や破損をより確実に防止できる。
【００２７】
本発明に係る請求項７記載の巻取シャフトの製造方法によれば、軸首を手に持ってぶら下げて歩いても、中子が本体部からはずれを防止できて、製造作業を容易にできる。
【図面の簡単な説明】
【００２８】
【図１】本発明の実施形態に係る構造を備えるシャッター装置の正面図である。
【図２】図１に示したシャッター装置の巻取シャフト近傍の平面図である。
【図３】図２に示した巻取シャフト端部の要部拡大断面図である。
【図４】図３の分解斜視図である。
【図５】本体部収縮時の巻取シャフト端部を表す動作説明図である。
【図６】巻取シャフト及び本体部の収縮時のシャッター装置要部を表す動作説明図である。
【図７】躯体固定用長穴を有したブラケットと建物躯体との固定構造を表す分解斜視図である。
【図８】長穴の設けられた補強部材の斜視図である。
【図９】補強部材をブラケットに固定する長穴の形成された固定アングルの斜視図である。
【発明を実施するための形態】
【００２９】
以下、本発明に係る実施形態を図面を参照して説明する。
図１は本発明の実施形態に係る構造を備えるシャッター装置の正面図、図２は図１に示したシャッター装置の巻取シャフト近傍の平面図、図３は図２に示した巻取シャフト端部の要部拡大断面図、図４は図３の分解斜視図である。
本実施形態に係る構造を備えるシャッター装置１１は、建物躯体１３の出入開口１５の上部に設けられる収納ケース１７と、出入開口１５の左右に設けられ収納ケース１７から繰り出される開閉体であるシャッターカーテン１９の両縁を案内する一対のガイドレール２１とを有する。
【００３０】
収納ケース１７には不図示の駆動機構によって回転される回転体である巻取シャフト２３が設けられ、巻取シャフト２３にはシャッターカーテン１９の一側縁である基端側が固定されており、巻取シャフト２３はシャッターカーテン１９を基端側から外周に巻き付けることで、シャッターカーテン１９を巻き取りながら、出入開口１５を開放する。一方、巻取シャフト２３が逆回転されれば、巻装されたシャッターカーテン１９が収納ケース１７から繰り出され、ガイドレール２１に案内されながら下降して出入開口１５を閉鎖する。
【００３１】
巻取シャフト２３は、本体部である両端が開放される円筒状の巻胴２５、軸首２７、中子２９を有する。巻取シャフト２３は、一対の軸首２７が、左右一対のブラケット３１を介して建物躯体１３に回転自在に支持される。ブラケット３１は、建物躯体１３に固定されるベース部材３３に固定される。ベース部材３３にはスタッドボルト３５（図７参照）が突設される。ブラケット３１は、このスタッドボルト３５に、ナット３７を用いて締結固定される。ブラケット３１は、それぞれの軸首２７を軸線方向に移動規制して回転自在に建物躯体１３に支持する。
【００３２】
左右それぞれのブラケット３１にはボールベアリング等の軸受３９が固定される。軸首２７は、この軸受３９によって回転自在にブラケット３１に支持される。左右それぞれの軸受３９の外側の軸首２７には、抜け止めカラー４１（図３参照）がイモネジ部４３によって固定される。イモネジ部４３は、抜け止めカラー４１の軸線方向の移動を規制する。一対の抜け止めカラー４１は、それぞれの軸受３９の側面（外面側）に当接して軸首２７に固定されることで、軸首２７をブラケット３１に対し軸線方向に移動規制している。
【００３３】
また、シャッター装置１１は、一対のブラケット３１に長尺材の補強部材４５が架設される。補強部材４５は、固定アングル４７を介して長手方向両端がブラケット３１に締結固定される。固定アングル４７には、一片と他片が直角に曲げられたＬ形アングルが用いられる。固定アングル４７は、一片がブラケット３１に締結され、他片が補強部材４５に固定されることで、ブラケット３１と補強部材４５とを固定する。
【００３４】
シャッターカーテン１９を外周に巻装する巻胴２５は、筒状の例えば鋼管からなる。巻胴２５は、両端に設けられる支持軸としての軸首２７によって回動自在に支持される。軸首２７には円板状に形成された中子２９が軸首２７の軸線方向に所定間隔を有して複数枚、本実施の形態では２枚が設けられる。軸首２７は、この中子２９とともに、巻胴２５の端部から挿入され、中子２９の外周が巻胴２５の内周に固定される。この固定は、溶接にて中子２９の表裏両面で行われる。中子２９の外径は、巻胴２５の内径より若干小さく形成されている。巻胴２５の寸法公差を吸収し、常に中子２９が巻胴２５に容易に挿入可能となっている。
【００３５】
それぞれの中子２９には軸首取付穴となる軸穴４９（図４参照）が同心円で穿設される。軸首２７は、巻胴２５に挿入される前に、予め中子２９が軸首２７の外周に外挿となって挿入される。軸首２７は、巻胴２５の軸線５１に沿う方向の両端に軸線５１を中心に取り付けられ、少なくとも一方の軸首２７が巻胴２５に対して軸線５１に沿う方向に移動自在となる。
【００３６】
軸首２７の外周には、軸線５１に沿う方向で軸首側キー溝５３が凹設される。この軸首側キー溝５３にはキー５５が挿入される。キー５５は、軸首側キー溝５３より短く形成されて軸首側キー溝５３に沿う方向に移動自在となる。軸首側キー溝５３に挿入されたキー５５は、軸首２７の外周から突条となって形成される。
なお、上記中子２９は、１枚で構成されることとしてもよく、この中子２９が複数枚で構成され設けられる際には、図３や図５に示されているように、少なくとも２枚はキー５５と嵌合していることが好ましい。
【００３７】
本実施形態において、巻胴２５は、両端に開口部５７（図４参照）を有する筒状に形成される。この開口部５７には、軸穴４９を有した中子２９が固定される。巻胴２５に固定される中子２９には、本体側キー溝５９が形成される。本体側キー溝５９は、軸穴４９の内周が半径方向外側に切り欠かれて形成される。本体側キー溝５９とキー５５が係合することで、軸首２７と巻胴２５とは、相対回転が規制される。中子２９の本体側キー溝５９は、軸首側キー溝５３内に挿入されているキー５５に、溶接等によって固定される。
【００３８】
次に、巻取シャフト２３の製造手順を説明する。
巻取シャフト２３を製造するには、図４に示すように、軸首２７の外周に軸線５１に沿う方向で凹設された軸首側キー溝５３に、軸首側キー溝５３より短く形成されて軸首側キー溝５３に沿う方向に移動自在となって軸首２７の外周から突出するキー５５を挿入する。
軸首２７を支持する軸穴４９の内周に半径方向外側に切り欠かれてキー５５が係合する本体側キー溝５９を有する中子２９を、キー５５に本体側キー溝５９を係合させて軸首２７の外周に外挿する。
次に、キー５５に中子２９を溶接等によって固定する。
そして、軸首２７とともに中子２９を巻取シャフト２３の筒状の巻胴２５の開口部５７に挿入して中子２９と巻胴２５を溶接等によって固定する。
【００３９】
次に、シャッター装置１１の構造と巻取シャフト２３の製造方法の作用を説明する。
図５は本体部収縮時の巻取シャフト端部を表す動作説明図、図６は巻取シャフト２３及び本体部の収縮時のシャッター装置要部を表す動作説明図である。
シャッター装置１１の構造では、図５に示すように、軸首２７の軸首側キー溝５３にキー５５が挿入され、キー５５は、軸首側キー溝５３内で所定の距離で移動可能となる。所定の距離とは、軸首側キー溝５３の長さとキー５５の長さの差分の距離ｄである。軸首２７は、キー５５を本体側キー溝５９に係合し、巻胴２５の軸穴４９に挿入される。軸首２７が回転駆動されれば、キー５５を介して巻取シャフト２３の巻胴２５が回転される。軸首２７が回転規制されれば、巻胴２５にモーメントが作用しても、巻取シャフト２３は回転が規制される。
【００４０】
図６に示すように、温度差により、長尺の巻取シャフト２３が長手方向に伸縮、例えば収縮すると、巻胴２５とともにキー５５が軸線５１に沿う方向に移動、すなわち変位する。この際、キー５５が軸首側キー溝５３内で移動することで、軸首２７は、キー５５によって移動されない。これにより、巻取シャフト２３の伸縮による変位が、軸首側キー溝５３内でのキー５５の移動によって吸収され、一対の軸首２７，２７間の距離が変動しにくくなる。
【００４１】
なお、軸首側キー溝５３及びキー５５は、巻取シャフト２３の両側に設けられてもよいが、好ましくは片側のみがよい。両側に設けた場合の通常使用時での巻取シャフト２３の軸線５１に沿う方向のガタツキを抑止できるためである。
【００４２】
また、シャッター装置１１の構造では、軸首２７の軸首側キー溝５３にキー５５が挿入され、軸首２７がキー５５ごと中子２９の軸穴４９に挿入される。キー５５が中子２９の軸穴４９に溶接等によって固定され、中子２９が軸首２７から脱落規制される。この状態で、中子２９が巻胴２５の開口部５７に固定される。これにより、巻胴２５に対して軸線５１に沿う方向で、軸首２７が移動自在に取り付けられる。その結果、円筒状の巻胴２５の開口部５７に、軸線方向に移動自在な軸首２７を容易に取り付けることができる。
【００４３】
また、巻取シャフト２３の製造方法では、軸首２７の軸首側キー溝５３にキー５５が挿入される。軸首２７は、キー５５ごと中子２９の軸穴４９に挿入される。軸首２７のキー５５は、中子２９の本体側キー溝５９に係合される。軸首２７と中子２９とは、相対回転が規制される。この状態でキー５５を中子２９の軸穴４９に溶接等によって固定する。中子２９に固定されたキー５５は、軸首側キー溝内で軸線５１に沿う方向には所定距離で移動可能となるが、軸首側キー溝５３からは離脱しない。これにより、中子２９は、軸首２７に対し軸線５１に沿う方向に移動自在となりながら、相対回転が阻止されて、軸首２７から脱落が規制される。
【００４４】
次に、シャッター装置１１の構造の他の実施形態を説明する。
図７は躯体固定用長穴６１を有したブラケット３１と建物躯体１３との固定構造を表す分解斜視図、図８は長穴６３の設けられた補強部材４５の斜視図、図９は補強部材４５をブラケット３１に固定する長穴６３の形成された固定アングル４７の斜視図である。
シャッター装置１１は、長尺部材である巻取シャフト２３とともに、補強部材４５も温度差によって収縮する。補強部材４５は、長手方向両端がブラケット３１に固定される。ブラケット３１は、建物躯体１３に固定される。このため、上記のキー機構を備えていない場合の従来型巻取シャフトや、補強部材４５の変位は、建物躯体１３に固定されてこの間隔距離が殆ど変化しないブラケット３１に、応力となって作用する。シャッター装置１１の構造では、この従来型巻取シャフトや補強部材４５の変位を吸収するための構成も備える。
【００４５】
すなわち、補強部材４５は、図７に示すように、ベース部材３３を介して建物躯体１３に固定される。ベース部材３３は、建物躯体１３に固定される固定板６５に、複数のスタッドボルト３５が植設される。ブラケット３１は、Ｌ字形に形成された板で、ブラケット３１の一方には軸穴４９、複数の軸受固定穴６７が穿設される。ブラケット３１の他方には巻取シャフト２３の軸線５１に沿う方向に長い躯体固定用長穴６１が、スタッドボルト３５に対応して形成される。躯体固定用長穴６１は、内方に通されたスタッドボルト３５に、カラー６９、ナット３７が取り付けられて、建物躯体１３に締結固定される。
【００４６】
一対のブラケット３１に、両端が固定される長尺の従来型巻取シャフトや補強部材４５が伸縮すると、一対のブラケット３１間の距離と、これら部材の長さとに差異が生じる。一対のブラケット３１は、建物躯体１３に固定されるので、ブラケット間の距離の変位は極めて小さい。このため、ブラケット３１は、本来、従来型巻取シャフトや補強部材４５からの応力を受け、変形しようとする（図６の破線参照）。この際、本構成では、建物躯体１３に対しブラケット３１が、躯体固定用長穴６１を介して移動する。これにより、変位が吸収され、応力が発生せず、ブラケット３１が変形しにくい。その結果、一対のブラケット３１に架設した長尺の補強部材４５が伸縮しても、ブラケット３１が建物躯体１３に対し変位し、ブラケット３１の変形や破損を防止できる。
【００４７】
また、シャッター装置１１の構造では、補強部材４５の長手方向両端は、一対のブラケット３１に固定される。支持されて架設された補強部材４５は、図８に示すように、少なくとも長手方向の一端側が長手方向に沿って長い長穴６３を介してブラケット３１に締結固定される。
【００４８】
一対のブラケット３１に両端が固定される長尺の補強部材４５は、伸縮すると、一対のブラケット間の距離と、補強部材４５の長さとに差異が生じる。一対のブラケット３１は、建物躯体１３に固定されるので、ブラケット間の距離の変位は極めて小さい。このため、ブラケット３１は、本来、補強部材４５からの応力を受け、変形しようとする（図６の破線参照）。この際、本構成では、ブラケット３１に対し、補強部材４５の固定部が長穴６３を移動する。これにより、変位が吸収され、応力が発生せず、ブラケット３１が変形しにくい。その結果、一対のブラケット３１に架設した長尺の補強部材４５が伸縮しても、ブラケット３１と補強部材４５が変位可能となって、ブラケット３１の変形や破損を防止できる。
【００４９】
また、図９に示すように、長穴６３は、補強部材４５とブラケット３１を固定するために使用される固定アングル４７に形成されていてもよい。この場合、長穴６３は、固定アングル４７のブラケット固定片７１と反対側の補強部材固定片７３に、巻取シャフト２３の軸線５１に沿う方向に長く形成される。
【００５０】
さらに、シャッター装置１１の構造は、ブラケット３１の躯体固定用長穴６１と、補強部材４５の長穴６３との双方を備えるものであってもよい。
躯体固定用長穴６１と長穴６３の双方を備える構成では、ブラケット３１に対し、補強部材４５の固定部が長穴６３を移動する。これとともに、建物躯体１３に対してもブラケット３１が躯体固定用長穴６１を介して移動する。これにより、変位の吸収がより確実となり、応力が発生せず、ブラケット３１が変形しにくい。その結果、一対のブラケット３１に架設した従来型巻取シャフトや長尺の補強部材４５が伸縮しても、ブラケット３１と補強部材４５が変位可能となるとともに、ブラケット３１も建物躯体１３に対し変位可能となり、ブラケット３１の変形や破損をより確実に抑制できる。
【００５１】
なお、上述した各実施形態において、キー５５は、軸首側キー溝５３に挿入されて移動自在としても良く、これとは逆に、キー５５が軸首側キー溝５３に挿入されて固定され、またはキー５５が軸首２７から凸設状態に軸首２７と一体形成されて移動不可とし、中子２９の本体側キー溝５９が、キー５５に移動自在となるように構成してもよい。さらには、キー５５も中子２９も移動不可とし、或いは移動自在な構成として、上述したブラケット３１や補強部材４５、固定アングル４７の構造を採用したものであってもよい。
【００５２】
従って、本実施形態に係るシャッター装置１１の構造によれば、工場内と設置場所との温度差によって部材が伸縮しても、シャッター装置１１の変形や損傷などを防止できる。  
【００５３】
また、巻取シャフト２３の製造方法によれば、軸首２７を手に持ってぶら下げて歩くような場合であっても、中子２９が巻胴２５からはずれを防止できて、製造作業を容易にできる。
【符号の説明】
【００５４】
１１…シャッター装置
１３…建物躯体
１９…シャッターカーテン
２３…巻取シャフト
２５…本体部（巻胴）
２７…軸首
２９…中子
３１…ブラケット
４５…補強部材
４９…軸穴
５１…軸線
５３…軸首側キー溝
５５…キー
５７…開口部
５９…本体側キー溝
６１…躯体固定用長穴
６３…長穴
【図１】
2015074943.tif 000003
【図２】
2015074943.tif 000004
【図３】
2015074943.tif 000005
【図４】
2015074943.tif 000006
【図５】
2015074943.tif 000007
【図６】
2015074943.tif 000008
【図７】
2015074943.tif 000009
【図８】
2015074943.tif 000010
【図９】
2015074943.tif 000011